(57)【特許請求の範囲】
【請求項１】
構造材に不織布やスポンジ等の吸水性を有する排水材を設けて排水機能を付加した構造部材を内部に配設したコンクリート構造物の高品質化方法であって、前記コンクリート構造物内の余剰水を前記排水材を使用して除去し且つ該コンクリート構造物が硬化した後、セメントや合成樹脂等の固化材を前記排水材を使用して前記コンクリート構造物内に注入し、前記固化材で前記コンクリート構造物内のひび割れを埋めることを特徴とするコンクリート構造物の高品質化方法。
【請求項２】
請求項１記載のコンクリート構造物の高品質化方法において、前記余剰水を除去し且つ前記コンクリート構造物が硬化して該コンクリート構造物の収縮ひび割れが発生した後、前記固化材を前記排水材を使用して前記コンクリート構造物内に注入することを特徴とするコンクリート構造物の高品質化方法。
【請求項３】
請求項１，２いずれか１項に記載のコンクリート構造物の高品質化方法において、水分の多い低濃度の固化材を前記排水材を使用して前記コンクリート構造物内に注入した後、水分の少ない高濃度の固化材を前記排水材を使用して前記コンクリート構造物内に注入することを特徴とするコンクリート構造物の高品質化方法。
【請求項４】
請求項１〜３いずれか１項に記載のコンクリート構造物の高品質化方法において、前記固化材を前記排水材を使用して前記コンクリート構造物内に注入する前に、水を前記コンクリート構造物内に注入してひび割れ経路の確認若しくはひび割れ内部の洗浄を行うことを特徴とするコンクリート構造物の高品質化方法。
【請求項５】
請求項１〜４いずれか１項に記載のコンクリート構造物の高品質化方法において、前記コンクリート構造物には該コンクリート構造物を貫通する管状のセパレータが形成され、このセパレータの管内と前記コンクリート構造物内に設けた前記構造部材とを連通するように構成したことを特徴とするコンクリート構造物の高品質化方法。
【発明の詳細な説明】
【０００１】
【発明の属する技術分野】
本発明は、コンクリート構造物の高品質化方法に関するものである。
【０００２】
【従来の技術及び発明が解決しようとする課題】
コンクリート構造物には、該コンクリート構造物の硬化時の収縮，温度変化や乾燥による収縮，経年劣化等によってひび割れが生じてしまうという問題点がある。
【０００３】
ところで、コンクリート構造物の内部にして鉄筋配置箇所は該コンクリート構造物に作用する荷重が最も大きい部位である場合が多く、この部位に生じているひび割れを埋めることがコンクリート構造物の高品質化につながる。
【０００４】
従って、例えば、コンクリート構造物の表面に達しているひび割れからセメントや合成樹脂等の固化材を注入する方法が提案されているが、この方法では注入部から離れた場所、即ち、コンクリート構造物の内部まで固化材が到達せず、よって結果として表層部のひび割れを解消したにとどまり、根本的なひび割れの問題の解決にはならない。
【０００５】
また、例えば、コンクリート構造物にパイプを埋設し、該パイプを経由してコンクリート構造物の内部にまで固化材を到達させようという方法では、該パイプの埋設が厄介であり、しかも、コンクリート構造物内にパイプを張り巡らせなければコンクリート構造物全体のひび割れを埋めることができず、コンクリート構造物内にパイプを張り巡らせると該パイプの分コンクリート構造物の強度が低下してしまうという問題点が生じる。
【０００６】
本発明は、上記コンクリート構造物のひび割れの問題点を解決するもので、本発明者らの先願に係る特開平１０−２６６５７０号で提案した余剰水除去用の排水材を利用してコンクリート構造物内に固化材を注入する実用性，作業性に秀れたコンクリート構造物の高品質化方法を提供するものである。
【０００７】
【課題を解決するための手段】
添付図面を参照して本発明の要旨を説明する。
【０００８】
構造材１に不織布やスポンジ等の吸水性を有する排水材２を設けて排水機能を付加した構造部材３を内部に配設したコンクリート構造物４の高品質化方法であって、前記コンクリート構造物４内の余剰水を前記排水材２を使用して除去し且つ該コンクリート構造物４が硬化した後、セメントや合成樹脂等の固化材５を前記排水材２を使用して前記コンクリート構造物４内に注入し、前記固化材５で前記コンクリート構造物４内のひび割れを埋めることを特徴とするコンクリート構造物の高品質化方法に係るものである。
【０００９】
また、請求項１記載のコンクリート構造物の高品質化方法において、前記余剰水を除去し且つ前記コンクリート構造物４が硬化して該コンクリート構造物４の収縮ひび割れが発生した後、前記固化材５を前記排水材２を使用して前記コンクリート構造物４内に注入することを特徴とするコンクリート構造物の高品質化方法に係るものである。
【００１０】
また、請求項１，２いずれか１項に記載のコンクリート構造物の高品質化方法において、水分の多い低濃度の固化材５を前記排水材２を使用して前記コンクリート構造物４内に注入した後、水分の少ない高濃度の固化材５を前記排水材２を使用して前記コンクリート構造物４内に注入することを特徴とするコンクリート構造物の高品質化方法に係るものである。
【００１１】
また、請求項１〜３いずれか１項に記載のコンクリート構造物の高品質化方法において、前記固化材５を前記排水材２を使用して前記コンクリート構造物４内に注入する前に、水を前記コンクリート構造物４内に注入してひび割れ経路の確認若しくはひび割れ内部の洗浄を行うことを特徴とするコンクリート構造物の高品質化方法に係るものである。
【００１２】
また、請求項１〜４いずれか１項に記載のコンクリート構造物の高品質化方法において、前記コンクリート構造物４には該コンクリート構造物４を貫通する管状のセパレータ６が形成され、このセパレータ６の管内と前記コンクリート構造物４内に設けた前記構造部材３とを連通するように構成したことを特徴とするコンクリート構造物の高品質化方法に係るものである。
【００１３】
【発明の作用及び効果】
セメント（例えば、平均粒径８μｍ以上１０μｍ以下で且つ最大粒径４０μｍの微粒子セメント若しくは平均粒径３μｍ以上４μｍ以下で且つ最大粒径１０μｍの超微粒子セメント等。）や合成樹脂（例えば、エポキシ樹脂やウレタン樹脂等。）を固化材５とし、この固化材５を構造材１に設けた排水材２を使用してコンクリート構造物４内に注入すると、排水材２は元々通水性を有している為、固化材５が良好にコンクリート構造物４内に行きわたることになり、該固化材５がコンクリート構造物４内のひび割れを良好に埋めていくことになる。
【００１４】
本発明は上述のようにするから、簡単且つ確実にコンクリート構造物内のひび割れを埋めることができる実用性，作業性に秀れたコンクリート構造物の高品質化方法となる。
【００１５】
【発明の実施の形態】
図面は本発明の一実施例を図示したものであり、以下に説明する。
【００１６】
本実施例は、鉄筋や連続繊維補強材等の構造材１に不織布やスポンジ等の吸水性を有する排水材２を設けて排水機能を付加した構造部材３を内部に配設したコンクリート構造物４の高品質化方法であって、セメントや合成樹脂等の固化材５を前記排水材２を使用して該コンクリート構造物４内に注入するものである。
【００１７】
このコンクリート構造物４は、本発明者らの先願に係る特開平１０−２６６５７０号として、コンクリート構造物４を形成する際、排水材２を設け、該排水材２の周囲にコンクリートを流し込んで内部に排水材２を配設したコンクリート構造物４を形成し、この排水材２を使用してコンクリート構造物内の余剰水を除去する構成のもので、該コンクリート構造物の均一化，高品質化を達成する為に提案したものである。
【００１８】
排水材２は、図１に図示したように複数の構造材１から成る構造材１群に巻き付け状態で設けられたり、構造材１に併設状態で設けられたり、若しくは、構造材１に外面に巻き付け状態で設けられたりして構造部材３に形成される。
【００１９】
また、図２〜４は前記構造部材３の他の構造例を図示したものである。
【００２０】
図２に図示した構造部材３は、鉄筋や連続繊維補強材等の構造材１の外周に不織布やスポンジ等の吸水性を有する排水材２を設けたものである。
【００２１】
図３に図示した構造部材３は、管状の構造材１に適宜中空部と外周部とを連通する孔７を設け、中空部に排水材２を設けたものである。
【００２２】
図４に図示した構造部材３は、構造材１の外周部に適宜凹部を設け、この凹部に排水材２を設けたものである。
【００２３】
これら排水材２若しくは構造部材３は、コンクリート構造物４内において傾斜状態や水平状態若しくは垂直状態に設けられる。
【００２４】
尚、図１は、垂直方向に延設される構造材１の外周に排水材２を設けて構造部材３とし、この構造部材３群に傾斜状態に排水材２を螺旋状に巻き付け状態で設けた構成である。
【００２５】
また、コンクリート構造物４には該コンクリート構造物４を貫通する管状のセパレータ６が設けられ、該セパレータ６の管内とコンクリート構造物４内に設けた排水材２若しくは構造部材３とが連通するように構成されている。このセパレータ６は、コンクリート構造物４内の余剰水を排水材２及びセパレータ６を使用してコンクリート構造物４外へ除去する為のものであり、本実施例においては上下多段に並設している。
【００２６】
尚、コンクリート構造物４の内部に排水材２，構造部材３若しくはセパレータ６をどのように設けるかは適宜設定できるものであり、構造材１，排水材２，構造部材３若しくはセパレータ６の組み合わせ方法及び組み合わせ構造も適宜設定できるものである。
【００２７】
固化材５としては、セメント系として平均粒径８μｍ以上１０μｍ以下で且つ最大粒径４０μｍの微粒子セメントや平均粒径３μｍ以上４μｍ以下で且つ最大粒径１０μｍの超微粒子セメント等を採用する。また、合成樹脂系としてエポキシ樹脂やウレタン樹脂等を採用する。
【００２８】
固化材５の粒径は、想定されるひび割れの巾によって適宜設定する。注入可能な固化材５の粒径はひび割れの巾の１／３といわれており、超微粒子セメントを採用した場合、３０μｍ程度のひび割れでも埋めることができる。また、コンクリート構造物４内のひび割れ等の構造的空隙は凍結防止作用を果たしているものがある為、該構造的空隙を完全には埋めず、微細な構造的空隙は残すように固化材５の粒径を設定しても良い。また、セメント系の方が、経済性，耐火性，耐熱性，強度等の観点から合成樹脂系よりも好適で、しかも、コンクリート構造物４と馴染み易いが、コンクリート構造物４にコンクリート以外の物性を付与したい場合等においては合成樹脂系の方が好適な場合もある。
【００２９】
以下、本実施例について更に詳述する。
【００３０】
型枠（図示せず）内にコンクリートを打設してコンクリート構造物４を形成し、先ず、該コンクリート構造物４内の排水材２や構造部材３を介してセパレータ６の開口部６’からコンクリートの余剰水を除去する。
【００３１】
続いて、コンクリート構造物４の硬化後、該コンクリート構造物４に固化材５を注入する。
【００３２】
尚、コンクリート構造物４が劣化した後に固化材５を注入することで該コンクリート構造物４の高品質化を図っても同様である。また、コンクリート構造物４の硬化前に固化材５を注入すると、該固化材５がひび割れを増長してしまうおそれがある。
【００３３】
コンクリート構造物４に固化材５を注入する方法について更に詳述する。
【００３４】
コンクリート構造物４に固化材５を注入する時期は、余剰水を除去し且つコンクリート構造物４の硬化後において、コンクリート構造物４の収縮ひび割れが発生した後が最適である。この場合、コンクリート構造物４が硬化している為、固化材５の注入圧を高めることができ、コンクリート構造物４に注入された固化材５が、コンクリート構造物４のひび割れに注入され、コンクリート構造物４の深遠部にまで固化材５を到達させることができる。
【００３５】
コンクリート構造物４が硬化し型枠を除去した後、前記余剰水を除去する為に使用したセパレータ６の開口部６’を所定の箇所を除いて塞ぎ、当該所定の箇所（開口しているセパレータ６の開口部６’）から固化材５を注入する。尚、セパレータ６を採用しない場合は、コンクリート構造物４の表面に露出している排水材２から固化材５を注入する。
【００３６】
固化材５を注入する箇所は、コンクリート構造物４の下方に位置するセパレータ６の開口部６’が良く、コンクリート構造物４全体に固化材５が行き渡ることになる。
【００３７】
また、注入する固化材５は、始めは水分の多い低濃度の固化材５とし、その後、水分の少ない高濃度の固化材５を注入する方法を採用すると良い。この場合、始めに注入された水分の多い固化材５によって微細なひび割れにも固化材５中のセメントや合成樹脂の粒子が達することができる。また、始めに単に水をコンクリート構造物４内に注入し、ひび割れ経路の確認やひび割れ内部の洗浄を行っても良い。
【００３８】
上記方法により、一工程でコンクリート構造物４全体に固化材５を注入しても良いし、また、コンクリート構造物４が大きかったり複雑な形状であったりした場合には、注入場所を変えながら、複数工程でコンクリート構造物４内に徐々に固化材５を注入していっても良い。
【００３９】
以上の方法により、セパレータ６の開口部６’から固化材５を注入すると、固化材５は、セパレータ６及び排水材２に沿ってコンクリート構造物４内に良好に浸透して行き、コンクリート構造物４内のひび割れに充填され、該ひび割れを埋めていくことになり、高品質なコンクリート構造物４が得られることになる。
【００４０】
尚、図中符号８は固化材５を貯溜する貯溜槽、９は注入ポンプである。
【００４１】
本実施例は上述のようにするから、固化材５がセパレータ６や排水材２を経由して良好にコンクリート構造物４内に注入され、該コンクリート構造物４内のひび割れを良好に埋めていくことになる実用性，作業性に秀れたコンクリート構造物の高品質化方法となる。
【００４２】
また、固化材５はセパレータ６や排水材２を使用して注入されるから、コンクリート構造物４において最も荷重が作用する構造材１の周囲に良好に固化材５が注入されてひび割れを埋めていくことになり、それだけコンクリート構造物４の強度が増すことになる実用性に秀れたコンクリート構造物の高品質化方法となる。
【００４３】
また、固化材５がセパレータ６や排水材２の排水経路を塞ぐことになるから、それだけコンクリート構造物４の強度が増すことになり、しかも、従来、排水経路を経由して空気が構造材１に達し該構造材１を腐食させるおそれがあったが、このような問題が発生することも防止される、より一層実用性に秀れたコンクリート構造物の高品質化方法となる。
【００４４】
また、コンクリート構造物４内の余剰水を除去した後に固化材５を注入するから、余剰水の除去によるコンクリート構造物４の高品質化と、固化材５の注入によるコンクリート構造物４の高品質化との双方の作用効果によって極めて高品質なコンクリート構造物４を得ることができる、より一層実用性に秀れたコンクリート構造物の高品質化方法となる。
【００４５】
また、打設したコンクリート４が硬化した後、コンクリート構造物４内に固化材５を注入するから、注入した固化材５がひび割れを大きくしたりせず良好にひび割れを埋めていくことができる、より一層実用性に秀れたコンクリート構造物の高品質化方法となる。
【００４６】
尚、本実施例は、構造材１に排水材２を設けた構造部材３が内部に設けられたコンクリート構造物４について説明したが、排水材２が内部に設けられたコンクリート構造物４であれば、どのようなものでも応用することができる。
【図面の簡単な説明】
【図１】  本実施例の説明部分断面側面図である。
【図２】  本実施例の構造部材３の一例を示す説明断面図である。
【図３】  本実施例の構造部材３の一例を示す説明断面図である。
【図４】  本実施例の構造部材３の一例を示す説明断面図である。
【図５】  本実施例の説明断面平面図である。
【図６】  本実施例の説明部分断面側面である。
【符号の説明】
１  構造材
２  排水材
３  構造部材
４  コンクリート構造物
５  固化材
６  セパレータ
【図１】
0004170512.tif 000002
【図２】
0004170512.tif 000003
【図３】
0004170512.tif 000004
【図４】
0004170512.tif 000005
【図５】
0004170512.tif 000006
【図６】
0004170512.tif 000007